(57)【特許請求の範囲】
【請求項１】
タンクユニットに熱源ユニットを連結してなる本体を備える貯湯式給湯装置であって、
前記タンクユニットは、外部の加熱手段により加熱された湯を溜める貯湯タンクと、該貯湯タンクから延出する複数の配管類とを収容するタンク用筐体を備え、
前記熱源ユニットは、熱源機と、該熱源機の下方に延出する複数の配管類を収容して該熱源機を下方から支持する支持台とを備え、
前記タンク用筐体の底部と前記支持台の底部とによって形成される前記本体の底部の外周面に、該本体を床面に固定する複数の床面固定部材が着脱自在に連結され、
各床面固定部材は、床面に沿う形状の床面固定板と、該床面固定板に一体に連設され且つ起立して設けられて前記本体に螺子部材を介して着脱自在に連結する本体連結板と、該本体連結板に形成されて螺子部材が貫通する水平方向に延びる長孔である螺子貫通孔とを備えることにより、前記本体の底部の外周面に設けられた複数の床面固定部材連結部に選択的に連結されることを特徴とする貯湯式給湯装置。
【請求項２】
前記複数の床面固定部材のうちの少なくとも一つは、前記本体連結板の一側端縁に一体に連設されて水平方向に延びる延設片を備え、
前記本体は、前記延設片を挿入することにより前記床面固定部材連結部に対して前記床面固定部材を位置決めする位置決め穴を備えることを特徴とする請求項１記載の貯湯式給湯装置。
【発明の詳細な説明】
【技術分野】
【０００１】
本発明は、タンクユニットに熱源ユニットを連結することによって構成された貯湯式給湯装置に関する。
【背景技術】
【０００２】
従来、ヒートポンプ等の加熱手段を用いて生成された湯を貯湯タンクに貯めておき、貯湯タンクの湯切れが生じた場合に、ガス給湯器等の補助熱源を用いて加熱出湯するようにした貯湯式給湯装置が知られている（下記特許文献１参照）。
【０００３】
この貯湯式給湯装置は、その本体がタンクユニットと熱源ユニットとで構成される。タンクユニットは、貯湯タンクと、貯湯タンクから延出する複数の配管類とを備え、貯湯タンク及び配管類はタンク用筐体に収容されている。熱源ユニットは、所謂ガス給湯器である熱源機と、熱源機の下方に延出する複数の配管類とを備え、熱源機を支持台上に載置して連結すると共に支持台の内部に熱源機の下方に延出する複数の配管類を収容している。そして、熱源ユニットはタンクユニットに隣接して組み付けられ、一体的な複合ユニットとして本体を形成している。
【０００４】
ところで、例えば、マンションのバルコニー等のコンクリート床面に貯湯式給湯装置を設置するときには、コンクリート床に打ち込んだアンカーボルトに本体を連結する。このとき、従来では、本体の下部に設けられた支持脚の下端をアンカーボルトで固定している（下記特許文献２参照）。
【先行技術文献】
【特許文献】
【０００５】
【特許文献１】特開２０１１−１５８１２８号公報
【特許文献２】特開２０１０−１１２５８７号公報
【発明の概要】
【発明が解決しようとする課題】
【０００６】
しかし、本体の支持脚をアンカーボルトに連結する場合には、支持脚の位置とアンカーボルトの位置とを一致させる必要があり、支持脚の位置とアンカーボルトの位置とが一致していないときには貯湯式給湯装置の設置が困難となる。また、床の状態等に影響されて部分的にアンカーボルトが打ち込めない場合があるため、この場合には、所望の位置に貯湯式給湯装置を設置することができない不都合がある。
【０００７】
上記の点に鑑み、本発明は、所望の位置に設置して床と本体とを確実に連結することができる貯湯式給湯装置を提供することを目的とする。
【課題を解決するための手段】
【０００８】
かかる目的を達成するために、タンクユニットに熱源ユニットを連結してなる本体を備える貯湯式給湯装置であって、前記タンクユニットは、外部の加熱手段により加熱された湯を溜める貯湯タンクと、該貯湯タンクから延出する複数の配管類とを収容するタンク用筐体を備え、前記熱源ユニットは、熱源機と、該熱源機の下方に延出する複数の配管類を収容して該熱源機を下方から支持する支持台とを備え、前記タンク用筐体の底部と前記支持台の底部とによって形成される前記本体の底部の外周面に、該本体を床面に固定する複数の床面固定部材が着脱自在に連結され、各床面固定部材は、床面に沿う形状の床面固定板と、該床面固定板に一体に連設され且つ起立して設けられて前記本体に螺子部材を介して着脱自在に連結する本体連結板と、該本体連結板に形成されて螺子部材が貫通する水平方向に延びる長孔である螺子貫通孔とを備えることにより、前記本体の底部の外周面に設けられた複数の床面固定部材連結部に選択的に連結されることを特徴とする。
【０００９】
本発明によれば、前記複数の床面固定部材連結部に対して選択的に床面固定部材を連結することができる。これにより、床に設けられたアンカーボルトに対応する位置の床面固定部材連結部に、床面固定部材を連結し、アンカーボルトの位置と床面固定部材の位置とを容易に合致させることができる。従って、貯湯式給湯装置を所望の位置に設置することができ、本体を床上に確実に固定することができる。
【００１０】
また、本発明において、前記複数の床面固定部材のうちの少なくとも一つは、前記本体連結板の一側端縁に一体に連設されて水平方向に延びる延設片を備え、前記本体は、前記延設片を挿入することにより前記床面固定部材連結部に対して前記床面固定部材を位置決めする位置決め穴を備えることが好ましい。
【００１１】
これによれば、延設片を本体の位置決め穴に挿入するだけで、本体の床面固定部材連結部に対する床面固定部材の位置決めが容易に行え、本体に床面固定部材を連結する際の作業効率を向上させることができる。しかも、位置決め穴に挿入された延設片を介して本体と床面固定部材との一体的な連結状態を形成することができ、本体を床面に固定したときに本体の姿勢を強固に安定させることができる。
【図面の簡単な説明】
【００１２】
【図１】本発明の一実施形態を示す貯湯式給湯装置の平面図。
【図２】本実施形態の貯湯式給湯装置の本体を示す側面図。
【図３】本実施形態の貯湯式給湯装置の側面図。
【図４】本実施形態の貯湯式給湯装置の正面図。
【図５】本実施形態の貯湯式給湯装置の背面図。
【図６】本実施形態の貯湯式給湯装置の下端部の説明的斜視図。
【図７】床面固定部材を示す斜視図。
【図８】床面固定部材の床面への固定状態を示す説明図。
【発明を実施するための形態】
【００１３】
本発明の一実施形態を図面に基づいて説明する。本実施形態の貯湯式給湯装置は、図１に平面視して示すように、タンクユニット１と熱源ユニット２とが前後方向に連結され、その左右両側が化粧カバー３により覆われて貯湯式給湯装置の本体４を形成している。
【００１４】
なお、貯湯式給湯装置は、外部に図示しないヒートポンプ等の加熱手段が接続される。タンクユニット１は、この加熱手段により加熱生成された湯を溜めるために設けられるものであり、熱源ユニット２は、給湯時にタンクユニット１の湯切れが生じた場合に、給湯設定温度まで加熱して出湯するために設けられるものである。
【００１５】
図２は化粧カバー３を取り外した状態を示しており、図３は化粧カバー３を装着した状態を示している。化粧カバー３は、本体４から容易に取り外すことができるようになっている。
【００１６】
図２に示すように、タンクユニット１は、角柱状のタンク用筐体５に、貯湯タンク６、及び図示しない配管類や電装品等を収容することにより構成されている。図２に示すように、タンク用筐体５は、上部覆板７と下部覆板８とによって側面が閉塞されている。上部覆板７と下部覆板８とは、タンクユニット１から取り外すことができるようになっている。
【００１７】
上部覆板７により閉塞される上部空間には、図示しない電装品等が収容される。下部覆板８により閉塞される下部空間には、図示しない配管類が収容される。そして、上部空間及び下部空間の奥側には円柱状の貯湯タンク６が収容されている（図１参照）。
【００１８】
また、タンク用筐体５の底部には平面視矩形状の第１接地枠９が設けられている。第１接地枠９は、タンク用筐体５の支柱の下端に連結され、タンクユニット１の荷重を支えている。第１接地枠９の外周には複数の床面固定部材１０が設けられている。
【００１９】
熱源ユニット２は、図２に示すように、熱源機１１と、熱源機１１の底部を支持する支持台１２とで構成され、支持台１２の内部には図示しない配管類が収容されている。支持台１２の底部には平面視矩形状の第２接地枠１３が設けられている。第２接地枠１３は、支持台１２の支柱の下端に連結され、熱源機１１及び支持台１２の荷重を支えている。第２接地枠１３の外周には第１接地枠９に用いられているものと同種の複数の床面固定部材１０が設けられている。
【００２０】
熱源機１１は、単体で使用することができる所謂ガス給湯器であり、ケース１４の内部に図示しないガスバーナや熱交換器等が収容されている。ケース１４は、一側面を開放面とする箱形状の器体１５と、器体１５の開放面を閉塞する蓋体１６とを備えている。蓋体１６からは、排気筒１８が突出している。
【００２１】
化粧カバー３は、図３に示すように、上部カバー部１９と下部カバー部２０との上下２つで構成されている。上部カバー部１９は、本体４の側面のうち上部側を覆う第１パネル２１と、第１パネル２１の前側端縁に取り付けられた第１前側モール２２と、第１パネル２１の後側端縁に取り付けられた第１後側モール２３とを備えている。下部カバー部２０は、本体４の側面のうち下部側を覆う第２パネル２４と、第２パネル２４の前側端縁に取り付けられた第２前側モール２５と、第２パネル２４の後側端縁に取り付けられた第２後側モール２６とを備えている。上部カバー部１９の下端と下部カバー部２０の上端とはその境界線２７において図示しない連結手段によって互いに取り外し自在に連結されている。
【００２２】
図２に示すように、タンク用筐体５の底部の第１接地枠９と支持台１２の底部の第２接地枠１３とは、本体４の接地する底部を構成している。第１接地枠９と第２接地枠１３との外周面は、第１接地枠９と第２接地枠１３とが隣接する面を除き、図３〜図５に示すように、化粧カバー３の下方に露出している。この露出する第１接地枠９及び第２接地枠１３の縦面には、床面固定部材１０を螺子止め連結するための床面固定部材連結部２８が複数設けられている。各床面固定部材１０は、各床面固定部材連結部２８のうち、何れかの位置に選択的に螺子部材２９（図８参照）により着脱自在に連結される。
【００２３】
また、図６に示すように、床面固定部材１０として、その形状は取り付け位置に応じて３種のものが用意されている。即ち、第１床面固定部材１０Ａは、図７（ａ）に示すように、床面に沿う形状の床面固定板４１と、床面固定板４１の一端縁から垂直に起立する本体連結板４２とを備えている。
【００２４】
本体連結板４２には螺子部材を貫通させる複数の螺子貫通孔４３が形成されている。螺子貫通孔４３は水平方向に延びる長孔で、各床面固定部材連結部２８の螺子孔に対して横方向に位置ずれが生じていても、螺子止めが可能となる。
【００２５】
床面固定板４１には、マンションのバルコニー等の設置床面に設けられたアンカーボルト５０（図８参照）を貫通させる凹状のボルト受け部４４が形成されている。床面固定板４１の両側には一対の補強曲げ部４５が形成されており、これにより床面固定板４１の曲げ強度を向上させている。
【００２６】
更に、本体連結板４２の一側端縁には、第１延設片４６が一体に連設されている。第１床面固定部材１０Ａの第１延設片４６は、図６に示すように、本体４の第２接地枠１３（及び第１接地枠９）の一方角部に形成されている第１位置決め穴４７に挿入して位置決めされる。なお、第１接地枠９と第２接地枠１３との夫々の対角線上に第１位置決め穴４７が設けられている。
【００２７】
第２床面固定部材１０Ｂは、図７（ｂ）に示すように、第１床面固定部材１０Ａの第１延設片４６と異なる向きの第２延設片４８を備え、それ以外は第１床面固定部材１０Ａと同様である。第２床面固定部材１０Ｂの第２延設片４８は、図６に示すように、本体４の第１接地枠９（及び第２接地枠１３）の他方角部に形成されている第２位置決め穴４９に挿入して位置決めされる。第２位置決め穴４９は、第１接地枠９と第２接地枠１３との夫々の第１位置決め穴４７と異なる対角線上にが設けられている。
【００２８】
第３床面固定部材１０Ｃは、図７（ｃ）に示すように、第１延設片４６も第２延設片４８も備えず、それ以外は、第１床面固定部材１０Ａ及び第２床面固定部材１０Ｂと同様の構成を有している。第１床面固定部材１０Ａ及び第２床面固定部材１０Ｂは第１接地枠９及び第２接地枠１３の角部に対応するのに対し、第３床面固定部材１０Ｃは、第１接地枠９及び第２接地枠１３の何れの位置であっても取り付けることができる。
【００２９】
第１床面固定部材１０Ａは、第１延設片４６を第１位置決め穴４７に挿入して位置決めすることにより、床面固定部材連結部２８への取り付け作業が容易となり、取り付け状態も強固となる。同じく、第２床面固定部材１０Ｂも、第２延設片４８を第２位置決め穴４９に挿入して位置決めすることにより、床面固定部材連結部２８への取り付け作業が容易となり、取り付け状態も強固となる。
【００３０】
第３床面固定部材１０Ｃは、延設片を備えないが、それによって、何れの位置の床面固定部材連結部２８であっても容易に取り付けることができる。
【００３１】
これらの床面固定部材１０（１０Ａ ，１０Ｂ，１０Ｃ）は、図８に示すように、マンションのバルコニー等の設置床面にアンカーボルト５０によって固定される。アンカーボルト５０は、コンクリート床５１に形成した穴内に挿入したアンカー部材５２と、アンカー部材５２に螺着させる固定ボルト５３とで構成される。そして、床面固定部材１０を固定するときには、ボルト受け部４４に固定ボルト５３を挿入した後、固定ボルト５３にワッシャ５４を介してナット５５を螺着させる。これにより、設置床面に床面固定部材１０が強固に連結され、本体４を設置床面に固定することができる。なお、床面固定部材１０を床面に連結するアンカーボルトは、上記の構成に限るものではない。
【００３２】
このように、床面固定部材１０を着脱自在とし、複数の床面固定部材連結部２８に選択的に連結させることができるようになっているので、例えば、アンカーボルトの位置に合わせて床面固定部材１０を自由に設けることができる。従って、貯湯式給湯装置を所望の位置に強固に設置することができる。
【符号の説明】
【００３３】
１…タンクユニット、２…熱源ユニット、４…本体、５…タンク用筐体、６…貯湯タンク、１０…床面固定部材、１１…熱源機、１２…支持台、２８…床面固定部材連結部、２９…螺子部材、４１…床面固定板、４２…本体連結板、４３…螺子貫通孔、４６…第１延設片（延設片）、４７…第１位置決め穴（位置決め穴）、４８…第２延設片（延設片）、４９…第２位置決め穴（位置決め穴）。
【図１】
0005959203.tif 000002
【図２】
0005959203.tif 000003
【図３】
0005959203.tif 000004
【図４】
0005959203.tif 000005
【図５】
0005959203.tif 000006
【図６】
0005959203.tif 000007
【図７】
0005959203.tif 000008
【図８】
0005959203.tif 000009